(57)【特許請求の範囲】
【請求項１】
受信手段で受信可能な受信チャンネルのテレビジョン番組を受信し、情報信号を受信する前記受信手段と、
前記受信手段で受信した前記情報信号に含まれ、前記受信手段で受信可能な受信チャンネルのテレビジョン番組に関するテレビジョン番組情報を記憶するテレビジョン番組情報記憶手段と、
前記受信手段で現在受信しているテレビジョン番組のテレビジョン番組情報を含む表示信号を自動的に生成する表示信号生成手段とを有するテレビジョン信号処理装置において、
前記テレビジョン番組情報記憶手段に記憶され且つテレビジョン番組情報に含まれる題名情報に少なくとも１つの所与のキーワードを含む選択テレビジョン番組情報であって現在受信中の受信チャンネルとは異なる他の受信チャンネルのテレビジョン番組のテレビジョン番組情報である前記選択テレビジョン番組情報を自動的に選択する選択手段が具備され、
前記表示信号生成手段は、前記選択テレビジョン番組情報を含む表示信号を、前記選択テレビジョン番組情報に対応するテレビジョン番組の開始前に自動的に生成することを特徴とする、テレビジョン信号処理装置。
【請求項２】
前記受信手段で受信されるテレビジョン番組の題名情報の題名片情報の少なくとも１項目をキーワードとして検出するキーワード検出手段を有し、
前記キーワード検出手段で検出されたキーワードが、前記選択手段で前記所与のキーワードとして使用されることを特徴とする、請求項１に記載のテレビジョン信号処理装置。
【請求項３】
前記キーワード検出手段で検出されたキーワードを少なくとも１つ記憶するキーワードメモリが設けられていることを特徴とする、請求項２に記載のテレビジョン信号処置装置。
【請求項４】
前記キーワードメモリは、前記キーワード検出手段によるキーワードの検出毎に増大する反復カウントをキーワード毎に記憶し、
前記選択手段が、少なくとも１つの反復カウントに依存する選択しきい値を超える反復カウントを持つキーワードのみを適用することを特徴とする、請求項３に記載のテレビジョン信号処理装置。
【請求項５】
最小の選択しきい値より低い反復カウントを持つキーワードが、前記キーワード検出手段によって前記キーワードメモリから定期的に消去されることを特徴とする、請求項４に記載のテレビジョン信号処理装置。
【請求項６】
前記キーワード検出手段でキーワードとして除外すべき少なくとも題名片情報を記憶する除外用メモリが設けられることを特徴とする、請求項２に記載のテレビジョン信号処理装置。
【請求項７】
前記受信手段は、コンピュータデータネットワークから前記情報信号を受信することを特徴とする、請求項１に記載のテレビジョン信号処理装置。
【請求項８】
前記受信手段は、受信されたテレビジョン番組のテレビジョン信号のブランキング期間に前記情報信号を受信し、
前記情報信号は、表示手段に表示可能なテレテキスト情報を含み、
前記テレテキスト情報の少なくとも題名片情報が、手動でマークされることによってキーワードとして定められることを特徴とする、請求項１に記載のテレビジョン信号処理装置。
【請求項９】
受信して処理されるテレビジョン番組のテレビジョン信号を記録する記録手段を有する記録装置において、
請求項１に記載のテレビジョン信号処理装置が設けられ、
当該記録装置で少なくとも１つのキーワードとして記録される受信して処理されるテレビジョン信号として受信されるテレビジョン番組の題名情報の題名片情報の少なくとも１項目を検出するキーワード検出手段が設けられ、
前記キーワード検出手段で検出されたキーワードが、前記選択手段によって所与のキーワードとして用いられることを特徴とする、記録装置。
【請求項１０】
前記表示信号生成手段は、前記選択テレビジョン番組情報を再生する表示信号を生成するために、手動でも活性化し、前記表示信号は、前記選択テレビジョン番組情報を含む記録推奨のリストを表示手段に与え、
選択及び表示された前記選択テレビジョン番組情報が記録プログラム手段によって手動でマークされ、これによって当該記録装置がこのようにマークされた前記選択テレビジョン番組情報を記録するのにプログラム可能であることを特徴とする、請求項９に記載の記録装置。
【発明の詳細な説明】
【０００１】
【産業上の利用分野】
本発明は、受信手段で受信可能な少なくとも１つの受信チャンネルに少なくとも１つのテレビジョン信号を受信し、少なくとも１つの情報信号を受信する前記受信手段と、１つ以上の情報信号に含まれ、少なくとも１つの受信可能な受信チャンネルのテレビジョン番組に関するテレビジョン番組情報を決定及び記憶し、テレビジョン信号を前記受信手段で現在受信しているテレビジョン番組の検出されたテレビジョン番組情報を含む表示信号を自動的に生成する表示信号生成手段を有するテレビジョン番組情報決定手段とを有するテレビジョン信号処理装置に関する。
【０００２】
【従来の技術】
冒頭に規定されたような型式のこのようなテレビジョン信号処理装置であって、テレビジョン装置に含まれるものは、ヨーロッパ特許出願公開第EP 0 337 336 A2号公報から既知である。該既知のテレビジョン装置は、テレビジョン信号を受信可能にする受信手段を有し、受信したチャンネルにおける例えばＡＲＤ、ＺＤＦ又はＣＮＮのようなテレビジョン局から接続可能なテレビジョン装置にテレビジョン番組として再生する受信手段を有する。入力されたテレビジョン信号は該テレビジョン装置の表示スクリーン(viewing screen)上でテレビジョン番組として表示することができる。
【０００３】
上記受信手段は、更に、テレビジョン信号のブランキング期間において送信される情報信号を入力するようにもなっている。該情報信号は、ＶＰＳ情報（ビデオ番組システム）及びテレテキスト情報を含むデジタルデータを伝送する。テレビジョン信号として入力された各テレビジョン番組は、付与されたＶＰＳ情報により識別される。ＶＰＳ情報はテレビジョン信号を識別するテレビジョン信号識別情報も含み、該情報により、テレビジョン信号を利用可能にすると共に該信号を送信するテレビジョン局を識別することができる。テレビジョン信号のテレテキスト情報は、例えば次の週内に受信することができる１以上の受信チャンネルのテレビジョン番組に関するテレビジョン番組情報を含むことができる。該テレビジョン番組情報は、テレビジョン番組のテレビジョン信号識別情報、日付、開始及び終了時間、題名及びＶＰＳ情報を表すデジタルデータにより形成することができる。
【０００４】
既知のテレビジョン装置は、前記情報信号に含まれるテレビジョン番組情報を決定及び記憶するテレビジョン番組情報決定手段をさらに有する。このために、このテレビジョン番組情報決定手段は、テレビジョン番組情報決定アルゴリズムを使用し、これにおいて、ブランキング期間に情報信号を含むテレビジョン信号が受信される各々受信可能な受信チャンネルが、テレビジョン番組のテレビジョン信号をできる限り受信可能にするテレビジョン番組情報を決定及び記憶するために、規定時間に前記受信手段によって連続的に入力可能となる。
【０００５】
既知のテレビジョン装置は、テレビジョン装置において、受信手段で現在受信するＶＰＳ情報とテレビジョン番組情報決定手段で決定及び記憶したＶＰＳ情報とを比較し、この受信手段で現在受信するテレビジョン番組のテレビジョン番組情報を決定する。よって、表示信号生成手段は、テレビジョン信号で現在受信するテレビジョン番組の題名を表示するために、テレビジョンのオンスクリーンディスプレイとしてテレビジョン装置の表示スクリーン上に再生される表示信号を自動的に生成する。この既知のテレビジョン装置の使用者は、このテレビジョン装置で受信される各テレビジョン番組の始めに、テレビジョン番組の題名に関する情報が示される。
【０００６】
その上、既知のテレビジョン装置の遠隔制御装置のキーの操作によって、テレビジョン装置がテレビジョン番組の題名及び開始時間並びにこれらテレビジョン番組が現在又は直ぐに受信することができるテレビジョン局のテレビジョン信号識別情報を含むような受信推奨のリストを表示することができる。前記受信手段が例えば４０個の受信チャンネルに４０個の別々のテレビジョン信号を受信するとき、上記受信推奨のリストは、例えば遅くとも３０分以内に始まり、各受信チャンネルに与える現在受信可能なテレビジョン番組と、直ぐに受信可能なテレビジョン番組とを８０行まで有する。この受信推奨のリストの助けによって、使用者はチャンネルアップキー又はチャンネルダウンキーの操作によって各受信チャンネルの現在受信可能な各テレビジョン番組を手短に見ることなく、現在又は直ぐに受信可能な興味のあるテレビジョン番組を選択することができる。
【０００７】
既知のテレビジョン装置に関し、現在受信している受信チャンネルのテレビジョン番組の題名の自動表示は、使用者に非常に有益であるが、これはテレビジョン番組が他の受信チャンネルにおいて現在受信可能である又はテレビジョン番組が他の受信チャンネルにおいて直ぐに受信可能であるかに関するどの様な指示も供給しない。結果的に、使用者は、すごく興味のあるテレビジョン番組が同時に他の受信チャンネルで受信可能な間に、使用者には普通の興味しかないテレビジョン番組をよく見るだろう。
【０００８】
この問題は、既知のテレビジョン装置の遠隔制御装置のキーの操作によって表示される受信推奨のリストを用いても解決されない。テレビジョン番組の始まりを逃さないために必要であるにもかかわらず、正確に３０分毎ではない使用者の興味があるテレビジョン番組を採り上げるために夕方の始まりに１度に、使用者に興味があるテレビジョン番組を選ぶために、使用者が多分この受信推奨のリストを読むが、この受信推奨のリストは非常に多くの行を持つからである。その上、コンピュータリストに似た受信推奨のリストのスクロールがコンピュータに詳しくない使用者には厄介なことである。このために、受信推奨のリストは既知のテレビジョン装置の使用者によってまれにしか使用されない。
【０００９】
【発明の目的及び概要】
本発明の目的は、前述の問題点を解消し、冒頭で規定されたような形式の改良されたテレビジョン信号処理装置を提供することである。冒頭で規定されたような形式のテレビジョン信号処理装置において、本目的は、少なくとも１つのテレビジョン番組を選択する選択手段が具備され、前記検出されたテレビジョン番組情報に含まれる前記少なくとも１つのテレビジョン番組の題名情報が少なくとも１つの所与のキーワードを含み、前記少なくとも１つのテレビジョン番組が前記受信手段によって現在受信される受信チャンネル以外の受信チャンネルにおいてテレビジョン信号として前記受信手段によって現在受信又は直ぐに受信可能であり、前記表示信号生成手段は、前記少なくとも１つの選択されたテレビジョン番組のテレビジョン番組情報を含む表示信号を自動的に生成することを達成することである。従って、テレビジョンのディスプレイとして再生可能な表示信号が例えばテレビジョン装置に含まれるテレビジョン信号処理装置によって自動的に表示され、この表示信号は現在始まっているテレビジョン番組の題名及びテレビジョン信号識別情報又は受信チャンネルを表示し、これにおいて、他の受信チャンネルにおけるテレビジョン信号を現在受信しているとき、テレビジョン装置の受信手段が受信可能となる。上記テレビジョンのディスプレイが例えば５秒間表示される。これは、テレビジョン番組の開始に使用者の注意を向けるという利点がある。さもなければ使用者がテレビジョン番組を逃してしまうかもしれない。他の受信チャンネルに異なるテレビジョン信号識別情報を持つテレビジョン信号を受信するためにテレビジョン装置が同調してしまっているからである。
【００１０】
他の利点は、この題名が使用者の興味のある分野の特色である少なくとも１つのキーワードを含むこれらテレビジョン番組を使用者に思い出させるだけである。この結果、使用者が興味のあるテレビジョン番組の始まる適当な時間に使用者は、自動的に思い出す。
【００１１】
請求項１に記載のテレビジョン信号処理装置においては、請求項２に記載の構成をとると有利であることが分かった。これは使用者がこのテレビジョン番組に興味があるので、テレビジョン信号処理装置を用いて使用者によって受信されるテレビジョン番組の各々の題名が、使用者の興味のある分野の特色を示している少なくとも１つのキーワードを決定するのに用いられるという利点が生じる。有利なことに、キーワードは使用者が介入することなく自動的に決定される。
【００１２】
請求項２に記載のテレビジョン信号処理装置においては、請求項３に記載の構成をとると有利であることが分かった。自動的に決定されるキーワードの全てが記憶され、よって、使用者が見るテレビジョン番組及び使用者が興味を持ちそうな後のテレビジョン番組に関する使用者の興味の特徴を非常に正確に再現するキーワードのデータベースが得られるという利点がある。したがって、その題名が記憶されたキーワードを少なくとも１つ有するテレビジョン番組の受信推奨を与える、選択手段によって並べられたリストは、使用者が興味のあるテレビジョン番組の大多数を含むだろう。他方では、受信推奨のリストが使用者に興味のあるテレビジョン番組だけを与え、受信推奨のリストが数の行を制限するという利点を持つ。
【００１３】
請求項３に記載のテレビジョン信号処理装置においては、請求項４に記載の構成をとると有利であることが分かった。この結果、前記選択手段は、題名が既に比較的頻繁に決定され、よって使用者に特別な興味があるキーワードを含むこれらのテレビジョン番組を選択するだけで達成される。例えば“マグナム”なるテレビ続き物がこれ以上受信されない場合、例えば“マグナム”として、キーワードが発生する回数は増大しないので、使用者の興味の変化が自動的に考慮される。
【００１４】
請求項４に記載のテレビジョン信号処理装置においては、請求項５に記載の構成をとると有利であることが分かった。結果として、まれにしか決定されないキーワードだけが定期的に、例えば月に１度、キーワードのメモリから削除され、よって、このキーワードメモリの記憶容量が効率良く利用されることが達成される。その上、それ程昔ではないときに決定されたキーワードのみが、使用者に興味がありそうなテレビジョン番組を決定するのに使用される。
【００１５】
請求項２に記載のテレビジョン信号処理装置においては、請求項６に記載の構成をとると有利であることが分かった。よって、これらが例えば３キャラクタ以下からなり、複数のワードにおいて他の意味も引き起こし、よって使用者の興味の分野を示すのに適さない場合、題名に用いられ、例えば“the”、“as”又は“in”等の題名片情報を形成するワードがキーワードを決定するのには用いられないことが達成される。
【００１６】
請求項２に記載のテレビジョン信号処理装置においては、請求項７に記載の構成をとると有利であることが分かった。よって、例えば“when”又は“maybe”の題名片情報を形成するあるワードは、これらワードが使用者の興味の分野を示すのに適さないので、キーワードとして規定されないことが達成される。
【００１７】
請求項１に記載のテレビジョン信号処理装置においては、請求項８に記載の構成をとると有利であることが分かった。よって、テレビジョン番組情報を含む情報信号が、テレビジョン信号処理装置によって、例えばインターネット、ケーブルＴＶ又はデータリンクを介するようなコンピュータデータネットワークからコンピュータへ入力される。
【００１８】
請求項１に記載のテレビジョン信号処理装置においては、請求項９に記載の構成をとると有利であることが分かった。よって、テレビジョン番組情報が１つ以上のテレビジョン信号のテレテキスト情報からも抽出できるという利点が得られる。その上、使用者はテレテキストページにおける題名片情報を形成するワード又はキャラクタ列をマークし、よってキーワードとして選択される。手動でキーワードを選択するこの方法は、アルファベットのキャラクタがこれらキーに割り当てられた遠隔操作キーの操作によってキーワードを挿入するよりもかなり簡単である。
【００１９】
請求項１０に記載の記録装置に請求項１に記載のテレビジョン信号処理装置を含むことが有利であることが分かった。記録装置に含まれるテレビジョン信号処理装置の場合において、この記録装置によって記録されるテレビジョン番組の題名の題名片情報を形成するキャラクタ列のみがキーワードとして規定されるという利点を生じ、これは使用者の興味のある分野であることを特徴とすることを保証する。
【００２０】
請求項１０に記載の記録装置においては、請求項１１に記載の構成をとると有利であることが分かった。使用者はこの記録装置の推奨プログラミングキーを操作可能であり、表示信号生成手段に記録推奨のリストを再生する表示信号を生成可能にし、この信号が記録推奨のリストとして表示される。マーキングキーの操作によって、記録推奨のリストに与えられた選択されたテレビジョン番組の１つが使用者によって手動でマークされ、この記録装置はよってマークされたテレビジョン番組を記録するためにプログラムされる。これが選択されたテレビジョン番組を記録するために、記録装置をプログラムする特定の簡単な方法を生じる。
【００２１】
更に、既知のテレビジョン装置はＶＰＳ情報を送信するテレビジョン局からのテレビジョン番組情報の検出しか可能でなく、その結果、受信推奨のリストは比較的少数のテレビジョン局からのテレビジョン番組しか表示することができない。
【００２２】
【発明の実施の形態】
図１は、記録装置を構成するビデオレコーダ１を示している。該ビデオレコーダ１の出力端子２からは、該出力端子２に接続された表示手段を形成するテレビジョン装置３に表示信号Ａを供給することができる。表示信号Ａは、テレビジョン装置３の表示スクリーン４上にテレビジョン番組として表示することが可能なテレビジョン信号Ｆと、適用可能なら、表示スクリーン４上に所謂オンスクリーン表示５として表示することができると共にテキスト情報を含むＯＳＤ信号とを有している。
【００２３】
放送局６は送信信号Ｕを送信することができ、該信号は受信アンテナ７により受信することができる。送信信号Ｕは異なるテレビジョン局からの複数のテレビジョン信号Ｆを有し、これら信号は各々受信チャンネルＥを介して伝送される。送信信号Ｕの周波数帯域により識別される受信チャンネルＥは、例えば、テレビジョン局ＯＲＦ１からのテレビジョン番組を伝送し且つテレビジョン信号識別情報ＦＫＩにより識別されるテレビジョン信号Ｆを伝送する。テレビジョン局ＯＲＦ２、ＡＲＤ、ＺＤＦ及び他のテレビジョン局からのテレビジョン番組を伝送し、且つ、それらの幾つかは他のテレビジョン信号識別情報ＦＫＩにより識別されるテレビジョン信号Ｆは、他の受信チャンネルＥを介して伝送される。
【００２４】
放送局６により送信されるテレビジョン信号Ｆの幾つかにおいて、情報信号Ｉは該テレビジョン信号Ｆのブランキング期間において伝送され、該ブランキング期間においては画像又は音声情報は伝送されない。情報信号Ｉは、ＶＰＳ（ビデオ番組システム）情報及びテレテキスト情報を含むデジタルデータを伝送する。テレビジョン信号Ｆとして受信される各テレビジョン番組は、与えられたＶＰＳ情報により識別される。更に、情報信号Ｉの該ＶＰＳ情報は、当該テレビジョン信号Ｆを識別するテレビジョン信号識別情報ＦＫＩも含んでいる。テレテキスト情報ＴＩは、略３０ないし６０秒毎に繰り返す同一内容を持つ順次の受信サイクルにおいて、テレテキスト頁として知られているデータブロックの形態のデータブロック情報として受信することができる。テレビジョン信号Ｆのテレテキスト情報ＴＩは、例えばニュース情報、気象情報及び、なかでも、１以上のテレビジョン局からのテレビジョン番組のテレビジョン番組情報ＦＰＩのような多数の情報を含むことができる。上記テレビジョン番組情報ＦＰＩは、所与のテレビジョン番組の日付、開始時間及び終了時間、題名を表す題名情報並びにＶＰＳ情報のようなテレビジョン信号識別情報ＦＫＩを含むような情報であり得る。規則として、テレテキスト情報ＴＩは、例えば次の週にテレビジョンチャンネルＥを介してテレビジョン信号Ｆとして受信することが可能なテレビジョン番組のテレビジョン番組情報ＦＰＩを含むものとし、該テレビジョン信号はテレテキスト情報ＴＩ内に含まれるテレビジョン信号識別情報ＦＫＩにより識別される。受信アンテナ７により受信される送信信号Ｕは、当該ビデオレコーダ１の入力端子８に供給することができる。
【００２５】
コンピュータ９は、他のテレビジョン番組情報ＦＰＩを含む他の情報信号Ｉをコンピュータデータネットワークのデータリンク１０を介して当該ビデオレコーダ１の情報信号端子１１に供給することができる。この場合、コンピュータ９は、インターネットに接続されると共に多数のテレビジョン局からのテレビジョン番組に関する現在のテレビジョン番組情報ＦＰＩをデジタルの形態で記憶する所謂サーバを形成する。該コンピュータ９に記憶されたテレビジョン番組情報ＦＰＩは、当該ビデオレコーダ１によりデータリンク１０を介して情報信号Ｉとして取り出すことができる。この目的のため、ビデオレコーダ１は呼び出し情報ＡＢを情報信号端子１１からコンピュータ９を識別するインターネットアドレスに対して伝送することができる。呼び出し情報ＡＢが現れた場合、コンピュータ９は、該コンピュータ９に記憶されたテレビジョン番組情報ＦＰＩを、データリンク１０を介して当該ビデオレコーダ１の情報信号端子１１に伝送するようになされる。
【００２６】
ビデオレコーダ１はテレビジョン信号処理装置１２と、記録手段１３とを有している。テレビジョン信号処理装置１２は、入力端子８において受信される送信信号Ｕ及び情報信号端子１１に供給される情報信号Ｉを処理すると共に、受信された情報信号Ｉから独立してテレビジョン番組情報ＦＰＩを導出するように構成されている。該テレビジョン信号処理装置１２は、チューナ１５とインターフェース手段１６とにより形成される受信手段１４を含んでいる。該受信手段１４のインターフェース手段１６は、情報信号端子１１に接続されると共に、先に説明したように、コンピュータデータネットワークから情報信号Ｉを受信するようになっている。
【００２７】
チューナ１５は、入力端子８に接続され、受信手段１４により受信可能な少なくとも１つの受信チャンネルを介して送信信号Ｕに含まれる少なくとも１つのテレビジョン信号Ｆを受信すると共に、テレビジョン信号Ｆのブランキング期間において伝送される情報信号Ｉを受信するように構成されている。該情報信号はデータブロック情報を含むデータブロックを有すると共に、反復する受信サイクルにおいて受信することができる。この場合、上記データブロック情報はテレテキスト情報ＴＩにより形成され、上記データブロックはテレテキスト頁により形成される。
【００２８】
所謂チューナ電圧ＴＵは、チューナ入力端１７及び１８を介してチューナ１５に供給することができる。チューナ電圧ＴＵが現れた場合、送信信号Ｕにおいて該チューナ電圧により規定される受信チャンネルを介して伝送されるテレビジョン信号Ｆが、該テレビジョン信号Ｆに含まれ得る情報信号Ｉと共に、チューナ１５のチューナ出力端１９に供給される。
【００２９】
記録手段１３は記録信号処理段２０を含み、該記録信号処理段にはチューナ出力端１９に供給された受信テレビジョン信号Ｆを供給することができる。該記録信号処理段２０において処理された受信テレビジョン信号Ｆは、当該記録手段１３の制御段２１に供給することができる。記録手段１３は、更に、当該ビデオレコーダ１を制御するための複数のキーを有するキーパッド２２を含んでいる。これらキーは、記録駆動信号ＡＩを制御段２１に供給して当該ビデオレコーダ１の記録モードを活性化することができる記録キー２３を含んでいる。記録手段１３は、記録モードにおいて、テレビジョン番組の受信され且つ処理されたテレビジョン信号Ｆを記録するように構成されている。この目的のため、制御段２１からの受信され且つ処理されたテレビジョン信号Ｆは、記録及び再生ライン２４を介して磁気テープカセット２６の磁気テープ２５上に記録することができる。ＶＨＳ規格に準拠した螺旋走査記録及び再生法に従って受信且つ処理されたテレビジョン信号Ｆを記録及び再生することができる斯様な記録及び再生ライン２４は、古くから知られている。
【００３０】
キーパッド２２は、ここではショウビュー（Show-View）プログラミングキー２７として表すキーを有し、該キーにより記録手段１３は、後の時点で受信することができるテレビジョン番組を記録するために周知のショウビュープログラミング法に従ってプログラムすることができる。該ショウビュープログラミング法によれば、テレビジョン番組の日付、開始及び終了時間及びテレビジョン信号識別情報ＦＫＩを識別する所与の数値組合せを、該テレビジョン番組を記録すべく記録手段１３をプログラムするように入力することができる。ショウビュープログラミングキー２７により記録プログラミング情報ＡＰＩとして入力された数値組合せは、記録手段１３の記録プログラミング段に供給することができる。図１には図示しない態様で、記録プログラミング段２８は、計画されたテレビジョン番組を記録するために、この計画されたテレビジョン番組がビデオレコーダ１により受信される正確な時点で記録駆動信号ＡＩを制御段２１に供給するように構成されている。
【００３１】
キーパッド２２は、更に、ここでは推奨プログラミングキー２９として示されたキーを有し、該キーは以下に更に詳細に説明するように、簡単な態様でテレビジョン番組を記録のためにプログラミングするのを可能にし、該テレビジョン番組に関しては題名が表示スクリーン４のオンスクリーン表示５上に表示され、該テレビジョン番組は当該ビデオレコーダ１のユーザにより印を付けられる。
【００３２】
キーパッド２２は、更に、ここではマーキングキー３０として示されるキーを有し、該キーにより、以下に更に詳細に説明するように、オンスクリーン表示５上に示されたテキスト情報のキャラクタ列に印を付けることができる。
【００３３】
キーパッド２２は、更に、ここでは受信チャンネル選択キー３１として示されるキーを有し、該キーにより図１には図示しない態様でチューナ電圧ＴＵを発生させてチューナ１５のチューナ入力端１７に供給することができる。該受信チャンネル選択キー１３の操作は、当該ビデオレコーダ１のユーザが、受信チャンネルＥを介して送信信号Ｕで伝送されるテレビジョン信号Ｆから１つのテレビジョン信号Ｆを選択することを可能にし、該テレビジョン信号はチューナ１５のチューナ出力端１９に得られる。
【００３４】
チューナ出力端１９上のテレビジョン信号Ｆ及び該テレビジョン信号Ｆのブランキング期間に存在し得る情報信号Ｉは、当該テレビジョン信号処理装置１２のデコーダ段３２に供給することができる。該デコーダ段３２は、上記情報信号Ｉ中に存在し得るＶＰＳ情報を検出するように構成されている。
【００３５】
チューナ出力端１９上のテレビジョン信号Ｆ及び該テレビジョン信号Ｆのブランキング期間に存在し得る情報信号Ｉは、更に、所謂テレテキストＩＣにより形成される情報検出段３３にも供給することができる。該情報検出段３３は、受信情報信号Ｉの各受信サイクルにおける所与のデータブロックアドレスにより識別されるデータブロック情報を検出し、かくして該情報信号Ｉに含まれるテレテキスト情報ＴＩを検出するように構成されている。情報検出段３３は、テレテキスト頁番号ＴＳＮにより形成されるデータブロックアドレスを用いてプリセットすることができ、その際には、該情報検出段３３は、受信される情報信号Ｉの受信サイクルにおいて、該テレテキスト頁番号ＴＳＮにより識別されるテレテキスト頁及び該テレテキスト頁に含まれるテレテキスト情報ＴＩを検出するように構成される。
【００３６】
テレビジョン信号処理装置１２は、更に、少なくとも１つの受信可能なチャンネルＥのテレビジョン送信におけるテレビジョン信号Ｆに関して１以上の情報信号Ｉに含まれるテレビジョン番組情報ＦＰＩを検出及び記録し、かくして上記情報検出段３３により検出されたデータブロック情報に含まれるテレビジョン番組情報ＦＰＩを検出するテレビジョン番組情報決定手段３４を有している。該テレビジョン番組情報決定手段３４は、更に、情報信号Ｉに含まれる他のテレビジョン番組情報ＦＰＩを検出するために情報検出段３３に対して少なくとも１つの他のデータブロックアドレスをプリセットするようにも構成されている。この目的のため、デコーダ段３２により検出されるＶＰＳ情報及び情報検出段３３により検出されるテレテキスト情報ＴＩは、テレビジョン番組情報決定手段３４に供給することができる。
【００３７】
テレビジョン番組情報決定手段３４は番組情報決定アルゴリズムを使用し、該アルゴリズムによりテレビジョン番組情報ＦＰＩを、情報検出段３３によりテレビジョン番組情報決定手段３４に供給されるテレテキスト情報ＴＩから決定することができるが、該アルゴリズムは後で図２に示すフローチャートを参照して説明する。テレビジョン番組情報決定手段３４はスイッチング段３６を含み、該スイッチング段は、上記テレビジョン番組情報決定アルゴリズムの実行の間に、前記受信手段１４をテレビジョン信号Ｆのブランキング期間において少なくとも１つの他の情報信号Ｉを受信するように独立して切り換えることができ、これにより他のテレビジョン番組情報Ｉを当該テレビジョン信号処理装置１２により独立して決定することができるようにする。この目的のため、スイッチング段３６はチューナ１５のチューナ入力端１８に接続されると共に、該チューナ１５を制御するチューナ電圧ＴＵを供給することができるようになっている。この構成は、テレビジョン番組情報決定アルゴリズムの説明において詳述する。
【００３８】
テレビジョン信号処理装置１２は更にデータブロックアドレスメモリ３７を有し、該メモリは受信されたテレビジョン信号Ｆを識別するテレビジョン信号識別情報ＦＫＩ又は受信チャンネル識別情報ＥＫＩの少なくとも１つの項目を、受信チャンネルＥを介して受信されたテレビジョン信号Ｆに含まれる情報信号Ｉのデータブロックを識別する少なくとも１つの関連するデータブロックアドレスと共に記憶することができる。チューナ１５により受信することが可能な各受信チャンネルＥは、受信チャンネル識別情報ＥＫＩにより識別される。例えば、現在市販されているビデオレコーダにおいては、９９の受信チャンネルＥを、その番号が受信チャンネル識別情報ＥＫＩを形成する所謂番組位置に記憶することができる。データブロックアドレスメモリ３７は、テレビジョン信号Ｆを受信することが可能な受信チャンネルを識別する受信チャンネル識別情報ＥＫＩの各項目に対してテレテキスト頁番号ＴＳＮにより形成されるデータブロックアドレスを記憶することができる。ビデオレコーダ１の製造の間に、受信チャンネル識別情報ＥＫＩの各項目に対してテレテキスト頁番号ＴＳＮ＝３０１がデータブロックアドレスメモリ３７に記憶される。何故なら、このテレテキスト頁番号ＴＳＮは、現在知られている情報信号Ｉに対して非常にしばしばテレビジョン番組情報ＦＰＩを含むテレテキスト情報ＴＩを識別するからである。ビデオレコーダ１の製造の間に、テレビジョン番組情報ＦＰＩを含むテレテキスト情報ＴＩに関係するテレテキスト頁番号ＴＳＮが、テレビジョン信号識別情報ＦＫＩを含むような情報信号Ｉのテレビジョン信号識別情報ＦＫＩと相関されて、データブロックアドレスメモリ３７に記憶される。テレビジョン番組情報決定手段３４は、受信されたテレビジョン信号Ｆに対する記憶されたテレテキスト頁番号ＴＳＮを、デコーダ段３２により決定されたテレビジョン信号Ｆのテレビジョン信号識別情報ＦＫＩとデータブロックアドレスメモリ３７に記憶されたテレビジョン信号識別情報ＦＫＩとを比較することにより決定するように構成されている。この構成はフローチャート３５を参照して明らかにされるであろう。
【００３９】
テレビジョン信号処理装置１２は更に追加情報メモリ３８を含み、該メモリには情報信号Ｉに関する追加情報ＺＵが、テレビジョン信号Ｆのテレビジョン信号識別情報ＦＫＩ又は受信チャンネルＥの受信チャンネル識別情報ＥＫＩと相関されて記憶することができる。斯かる追加情報は、テレビジョン番組情報決定アルゴリズムにおいて受信チャンネルＥを介して受信されたテレビジョン信号Ｆの情報信号Ｉから既に導出されており、後のテレビジョン番組情報決定アルゴリズムのために有利に使用することができる。該追加情報ＺＵは、例えば、ＶＰＳ情報、ＶＰＴ情報又は時間情報が既にテレテキスト頁のテレテキスト情報ＴＩにおいて見つかっているという情報か、又はテレテキスト頁がテレテキスト副頁を有するかについての情報であり得る。テレテキスト副頁は、情報信号Ｉの各受信サイクルにおいては受信することのできないテレテキスト情報ＴＩを含んでいる。テレテキスト頁番号ＴＳＮ＝３０１を有するテレテキスト頁は、例えば、２つのテレテキスト副頁を有している。この場合、テレテキスト副頁３０１／１のテレテキスト情報のみが情報信号Ｉの１以上の受信サイクルにおいて受信され、続いて、テレテキスト副頁３０１／２のテレテキスト情報ＴＩのみが１以上の受信サイクルにおいて送信される。追加情報ＺＵは、どのテレテキスト頁番号ＴＳＮが情報信号Ｉで送信されたかを示す送信情報とすることもできる。
【００４０】
ビデオレコーダ１の製造の間に、テレビジョン信号識別情報ＦＫＩを含む情報信号Ｉに関する追加情報ＺＵが、該テレビジョン信号識別情報ＦＫＩと相関されて追加情報メモリ３８に記憶される。テレビジョン番組情報決定手段３４は、受信されたテレビジョン信号Ｆに関する記憶された追加情報ＺＵを、デコーダ段３２により検出されたテレビジョン信号Ｆのテレビジョン信号識別情報ＦＫＩと追加情報メモリ３８に記憶されたテレビジョン信号識別情報ＦＫＩとを比較することにより決定するよう構成されている。情報信号Ｉに関する追加情報ＺＵは、前記テレビジョン番組情報決定アルゴリズムにおけるテレビジョン番組情報ＦＰＩの決定を容易化すると共に高速化する。このことは、フローチャート３５を参照して、より詳細に説明されるであろう。
【００４１】
テレビジョン信号処理装置１２は更にテレビジョン番組メモリ３９を含み、該メモリには受信された情報信号Ｉから導出されるテレビジョン番組情報ＦＰＩを記憶することができる。該テレビジョン番組情報は、例えば次の週に１以上の受信チャンネルＥを介して１以上のテレビジョン局から受信することができるテレビジョン番組に関するものである。
【００４２】
以下、テレビジョン番組情報決定手段３４において実行されるテレビジョン番組情報決定アルゴリズムをフローチャート３５を参照して説明する。フローチャート３５に従う処理は、ブロック４０において、例えば毎日の午前９：００に、開始する。この時間には殆どの受信チャンネルＥが既にテレビジョン信号Ｆを受信することができ、この時間にはビデオレコーダは殆ど使用されないことが知られている。先に既に説明したように、テレビジョン番組情報決定アルゴリズムはビデオレコーダ１がユーザにより使用されいない場合にのみ実行され、結果として、テレビジョン信号処理装置１２は該テレビジョン番組情報決定アルゴリズムをフローチャート３５に従って独立に実行することができる。
【００４３】
ブロック４０に続いて実行されるブロック４１においては、ビデオレコーダ１が待機モードであるか、又はビデオレコーダ１がユーザにより例えば記録されたテレビジョン番組をカセット２６から再生するために使用されているか、が確かめられる。ビデオレコーダ１が待機モードでない場合は、テレビジョン番組情報決定アルゴリズムはブロック４２において終了される。逆に、ビデオレコーダ１が待機モードである場合は、テレビジョン番組情報決定アルゴリズムはブロック４３に進む。
【００４４】
ブロック４３においては、スイッチング段３６がチューナ電圧ＴＵをチューナ入力端１８に供給し、これによりチューナ１５が、受信チャンネルＥ＝１を介して受信することができるテレビジョン信号Ｆをチューナ出力端１９に伝送するようにする。
【００４５】
ブロック４３に続いて実行されるブロック４４においては、チューナ出力端１９に得られた上記テレビジョン信号Ｆが該テレビジョン信号Ｆのブランキング期間にテレテキスト情報ＴＩを含んでいるかが確かめられる。この場合、テレビジョン番組情報決定手段３４は頁要求情報ＳＡを情報検出段３３に供給し、該情報検出段３３がテレテキスト情報ＴＩを検出することができるかをチェックする。該テレビジョン信号Ｆにおいて情報信号Ｉが伝送されていないため情報検出段３３がテレテキスト情報ＴＩを検出することができない場合は、フローチャート３５の処理はブロック４５で継続される。
ブロック４５においては、スイッチング段３６がチューナ電圧ＴＵをチューナ入力端１８に供給し、これによりチューナ１５が、受信チャンネルＥ＝２を介して受信することができるテレビジョン信号Ｆをチューナ出力端１９に伝送するようにする。
【００４６】
ブロック４５に続いて実行されるブロック４６においては、フローチャート３５による処理において、テレビジョン信号Ｆを受信するために選択することができる全ての受信チャンネルＥが既に選択されたかが確かめられる。テレビジョン信号Ｆを受信するための全ての受信チャンネルＥが既に選択されている場合は、当該処理はブロック４２で終了する。逆に、チューナ１５により選択することが可能な全ての受信チャンネルＥが未だ選択されていない場合は、処理はブロック４４で継続される。
【００４７】
ブロック４４において、情報信号Ｉが受信チャンネルＥ＝２を介して受信されたテレビジョン信号Ｆにおいて伝送され且つチューナ出力端１９に供給されたことが分かった場合は、当該処理はブロック４７に進む。ブロック４７においては、テレビジョン番組情報決定手段３４は、受信された情報信号Ｉに対して情報検出段３３のスイッチング段３６により規定された優先テレテキスト頁番号ＶＴＳＮにより形成される所与の優先データブロックアドレスをプリセットすることができる。このような優先テレテキスト頁番号ＶＴＳＮは、例えばＯＲＦ１、ＯＲＦ２又はＡＲＤのようなテレビジョン局により情報信号Ｉで送信され、例えば所謂“基本ＴＯＰテーブル”、“マルチ頁テーブル”又は“雑誌目録頁”として知られている。ビデオレコーダ１の製造の間に、優先テレテキスト頁番号ＶＴＳＮは追加情報メモリ３８にテレビジョンチャンネル識別情報ＦＫＩと相関されて記憶される。ブロック４７の実行の間に、この優先テレテキスト頁番号ＶＴＳＮを含む頁要求情報ＳＡが情報検出段３３に供給され、該情報信号Ｉの受信サイクルの終了の際に、又は所与の期間が経過すると、テレテキスト情報ＴＩが情報検出段３３により検出されたかがチェックされる。情報検出段３３によりテレテキスト情報ＴＩが検出された場合は、この検出されたテレテキスト情報ＴＩからテレテキスト頁番号ＴＳＮを導出することができる。これら頁番号は、テレビジョン番組情報ＦＰＩが含まれるような情報信号Ｉのテレテキスト情報を識別する。本例においては、検出されたテレテキスト頁番号は、情報検出段３３に頁要求情報ＳＡとして覚えさせることができる。更に、例えばテレテキスト頁のテレテキスト副頁の数のような追加情報ＺＵを、優先テレテキスト頁番号ＴＳＮにより識別されるテレテキスト情報ＴＩから導出することができると共に、追加情報メモリ３８に、選択された受信チャンネルＥの受信チャンネル識別情報ＥＫＩと相関させて記憶することができる。次いで、フローチャート３５による処理はブロック４８に進む。
【００４８】
ブロック４７において、所与の優先テレテキスト頁番号に対するテレテキスト情報ＴＩを情報信号Ｉから導出することができない場合は、フローチャート３５による処理はブロック４９に進む。ブロック４９においては、スイッチング段３６による受信手段１４の切り換えの後、テレビジョン番組情報決定手段３４は情報検出段３３を、データブロックアドレスメモリ３７に記憶され且つテレビジョン信号識別情報ＦＫＩ又は受信されたテレビジョン信号Ｆを識別する受信チャンネル識別情報ＥＫＩに割り当てられたデータブロックアドレスに自律的にプリセットし、これにより該データブロックアドレスにより識別されるデータブロック情報を決定する。ブロック４９が実行されるにつれて、テレテキスト頁番号ＴＳＮがデータブロックアドレスメモリ３７から読み出される。該番号は受信チャンネルの番号Ｅ＝２と相関されて記憶されており、その場合に受信チャンネル識別情報ＥＫＩを構成し、該番号からはテレビジョン番組情報ＦＰＩが先行するテレビジョン番組情報決定アルゴリズムにおいて既に導出されている可能性があるか、又は該番号はビデオレコーダ１の製造の間に受信チャンネルＥ＝２を介して受信されるテレビジョン信号識別情報ＦＫＩと相関されて記憶されている。データブロックアドレスメモリ３７から得られたテレテキスト頁番号ＴＳＮが情報検出段３３にプリセットされた後、フローチャート３５による処理はブロック４８に進む。
【００４９】
ブロック４８においては、情報検出段３３により検出されるテレテキスト情報ＴＩがテレビジョン番組情報ＦＰＩを含んでいるかがチェックされる。このチェックの第１ステップで、該検出されたテレテキスト情報ＴＩがＶＰＴ規格（テレテキストによるビデオレコーダのプログラミング）に準拠しているか、及び、更にＶＰＴ情報を含んでいるかが検証される。該テレテキスト情報ＴＩがＶＰＴ規格に準拠する場合は（これは、例えば、テレビジョン番組情報ＦＰＩを識別する隠された又は可視のＶＰＴ情報がテレテキスト情報ＴＩに含まれているようなテレビジョン局ＯＲＦ１、ＯＲＦ２、ＡＲＤ又はＺＤＦにより送信される情報信号の場合である）、該テレビジョン番組情報ＦＰＩは特に信頼性のある態様で決定することができる。
【００５０】
ブロック４８のチェックにおける上記第１ステップにおいて、検出されたテレテキスト情報ＴＩがＶＰＴ規格による隠されたＶＰＴ情報を含んでいないことが分かった場合は、該チェックの第２ステップにおいて、上記所与のテレテキスト頁番号ＴＳＮに関連付けられた隠されたテレテキスト情報ＴＩが所謂“パケット２６”に含まれているかが検証される。これは、テレテキスト頁番号ＴＳＮにより識別されるテレテキスト情報ＴＩにおけるテレビジョン番組情報ＦＰＩを特徴付けるものである。“パケット２６”に含まれる情報は、ＰＤＣ規格（番組配信コード）で定義されている。
【００５１】
ブロック４８の上記チェックにおける第２ステップにおいて、“パケット２６”がテレテキスト頁番号ＴＳＮにより識別されたテレテキスト情報ＴＩ内のテレビジョン番組情報ＦＰＩの識別のための隠された情報も含んでいないと分かった場合は、第３ステップにおいて、時間情報に対応するテレテキスト情報ＴＩが情報検出段３３により検出されたテレテキスト情報ＴＩに含まれているかがチェックされる。この目的のため、テレテキスト情報ＴＩは、例えば“ＸＸ：ＸＸ”又は“ＸＸ．ＸＸ”なるフォーマットに従うキャラクタ列を有するか調査され、ここで、“Ｘ”は“０”ないし“９”の数であり、最初の“Ｘ”は“０”ないし“２”の数でなければならず、３番目の“Ｘ”は“０”ないし“５”の数でなければならない。これらのフォーマットは、例えば、“１３：２０”又は“１３．２０”のような通常の時間表現フォーマットに対応する。これらのフォーマットに従うキャラクタ列が、テレテキスト頁にテレビジョン番組の複数の開始時間及び題名を表示する場合に通常そうであるように、テレテキスト情報ＴＩにおいて所与の時間期間で反復する時間情報として検出される場合は、最初の時間情報はテレビジョン番組の開始時間として解釈され、該数値に続くキャラクタは該テレビジョン番組の題名として解釈され、該テレテキスト情報ＴＩ内の後続の時間情報は該テレビジョン番組の終了時間として解釈される。
【００５２】
ブロック４８における前記チェックの第１ステップにおいてテレビジョン番組情報ＦＰＩが既に検出されている場合は、該チェックの後続のステップは実行されない。同様に、ブロック４８における前記チェックの第２ステップにおいてテレビジョン番組情報ＦＰＩが検出される場合は、該チェックの第３ステップは実行されない。
【００５３】
ブロック４８における上記チェックの３つの全てのステップにおいて、情報信号検出段３３により検出されたテレテキスト情報ＴＩにテレビジョン番組情報ＦＰＩが含まれていないことが分かった場合は、フローチャート３５による処理はブロック５０に進む。逆に、ブロック４８におけるチェックの３つのステップの１つにおいて、テレテキスト情報ＴＩ内でテレビジョン番組情報ＦＰＩが検出された場合は、フローチャート３５による処理はブロック５１に進む。
【００５４】
ブロック５１においては、テレビジョン番組情報決定手段３４により決定されたテレビジョン番組情報ＦＰＩがテレビジョン番組メモリ３９に記憶される。ブロック５１においては、テレビジョン番組情報決定手段３４は、データブロック情報がテレビジョン番組情報ＦＰＩから成功裏に導出された後に、最後にプリセットされたデータブロックアドレスをデータブロックアドレスメモリ３７に、テレビジョン信号識別情報ＦＫＩ又は受信されたテレビジョン信号Ｆを識別する受信チャンネル識別情報ＥＫＩと関連させて自律的に記憶するようになっている。この場合、情報検出段３３がプリセットされたテレテキスト頁番号ＴＳＮはデータブロックアドレスメモリ３７に、チューナ１５により受信された受信チャンネルＥの番号に相関されて記憶される。この場合、該番号は受信チャンネル識別情報ＥＫＩを形成する。次いで、フローチャート３５による処理はブロック５０に進む。
【００５５】
ブロック５０においては、データブロックアドレスメモリ３７から得られた最初のデータブロックアドレスのプリセット後の第１のステップにおいて、テレビジョン番組情報決定手段３４は、データブロック情報を決定するために、最初のデータブロックアドレスに対して交互に増加及び減少する番号を有するような他のデータブロックアドレスを順次プリセットするようになっている。例えば、データブロックアドレスメモリ３７から得られた最初のテレテキスト頁番号ＴＳＮ＝３０１のプリセットの後、テレビジョン番組情報決定手段３４はテレテキスト頁番号ＴＳＮ＝３０２をプリセットし、フローチャート３５のブロック５０における次の操作ではテレテキスト頁番号ＴＳＮ＝３００をプリセットするようになっている。このように、最初のテレテキスト頁番号の周囲のテレテキスト頁番号により識別されるテレテキスト情報ＴＩが、既にテレビジョン番組情報ＦＰＩを識別しているテレテキスト情報ＴＩが以前のテレビジョン番組情報ＦＰＩを決定する処理で導出されているものから決定される。
【００５６】
ブロック５０の第２のステップにおいては、テレビジョン番組情報決定手段３４は、追加情報メモリ３８が受信された情報信号Ｉに関しプリセットされたテレテキスト頁番号がテレテキスト副頁番号を有することを示す追加情報ＺＵを記憶しているなら、上記第１のステップにおいてプリセットされたテレテキスト頁番号のテレテキスト副頁番号をプリセットするようになっている。
【００５７】
ブロック５０の第３ステップにおいては、テレビジョン番組情報決定手段３４は、追加情報メモリ３８が受信された情報信号Ｉで伝送されたテレテキスト頁番号ＴＳＮに関する送信情報を形成するような追加情報ＺＵを記憶しているかを検証し、答えが肯定的な場合はブロック５０の第１ステップにおいてプリセットされたテレテキスト頁番号ＴＳＮが情報信号Ｉで実際に伝送されたかをチェックし、答えが否定的な場合は他のテレテキスト頁番号ＴＳＮをプリセットするようになっている。この結果として、データブロック情報の検出に関し、情報検出段３３は受信される情報信号Ｉで実際に伝送されるデータブロックに関係するデータブロックアドレスのみにプリセットされるようになる。これは、情報検出段３３が情報信号Ｉで伝送されないデータブロックアドレスに設定された場合に発生するであろう待ち時間を防止する。
【００５８】
ブロック５０の第４ステップにおいては、テレビジョン番組情報決定手段３４は、追加情報メモリ３８に記憶された追加情報ＺＵの評価により当てはまるなら、受信チャンネルＥを介してチューナ１５により受信された情報信号Ｉに対し、テレビジョン番組情報ＦＰＩを導出することができるようなテレテキスト情報ＴＩを情報信号Ｉにおいて識別する全てのテレテキスト頁番号ＴＳＮが既にプリセットされているかをチェックするようになっている。このような追加情報ＺＵが記憶されていない場合は、情報信号Ｉで伝送される全てのテレテキスト頁を走査して、これら頁のテレテキスト情報ＴＩに含まれるテレビジョン番組情報ＦＰＩを探すことも可能である。ブロック５０において、テレビジョン番組情報ＦＰＩが成功裏に導出することができるであろうようなテレテキスト情報ＴＩを識別するテレテキスト頁番号ＴＳＮが見つかった場合は、当該処理はブロック５２で継続される。
【００５９】
ブロック５２においては、ブロック５０において決定されたテレテキスト頁番号ＴＳＮが情報検出段３３に頁要求情報ＳＡとして供給され、該情報検出段３３により検出されたテレテキスト情報ＴＩは、前述したように、ブロック４８においてチェックされる。
【００６０】
ブロック５０において、テレビジョン番組情報ＦＰＩが成功裏に導出することができるであろうようなテレテキスト情報ＴＩを識別するテレテキスト頁番号ＴＳＮが検出されない場合は、当該処理はブロック４５に進む。フローチャート３５による処理を、以下に、一例を参照して更に詳細に説明する。
【００６１】
記録手段１３の制御段２１は、該記録手段１３が記録モードに設定されている場合に、記録モード情報ＡＢＩをテレビジョン番組情報決定手段３４に供給する。記録モード情報ＡＢＩが発生する場合、テレビジョン番組情報決定手段３４は、テレビジョン番組情報決定アルゴリズムの間においてテレビジョン番組メモリ３９に記憶されているテレビジョン番組情報ＦＰＩを決定するように構成されており、該テレビジョン番組情報ＦＰＩは記録手段１３によりその時点で記録されるテレビジョン番組情報に割り当てられるべきである。この目的のため、テレビジョン番組決定手段３４は、記録されるテレビジョン番組を識別し且つデコーダ段３２により検出されたＶＰＳ情報をテレビジョン番組メモリ３９に記憶されているＶＰＳ情報と比較するように構成されている。検出されたＶＰＳ情報と記憶されたＶＰＳ情報とが一致する場合は、該記憶されたＶＰＳ情報を含むテレビジョン番組情報ＦＰＩをテレビジョン番組メモリ３９から読み出すことができる。
【００６２】
テレビジョン信号処理装置１２は更にタイミング段５３を含み、該タイミング段は現在の時間を表す時間情報ＺＩをテレビジョン番組情報決定手段３４に供給することができる。この場合、タイミング段５３の時間を初期化するための時間情報ＺＩは、情報検出段３３により決定されるテレテキスト情報ＴＩから導出することができるか、又はビデオレコーダ１のユーザにより図１には図示しない態様で設定することができる。記録モード情報ＡＢＩが発生している場合、ＶＰＳ情報が伝送されていないようなテレビジョン番組のテレビジョン信号Ｆが記録される場合は、テレビジョン番組情報決定手段３４は、テレビジョン番組メモリ３９に記憶され且つ記録手段１３により現在記録されているテレビジョン番組に関するテレビジョン番組情報ＦＰＩを、タイミング段５３により当該手段に供給される時間情報ＺＩと受信された受信チャンネルＥとに基づいて決定するように構成されている。
【００６３】
テレビジョン信号処理装置１２は、更に、記録手段１３により受信され且つ処理されたテレビジョン信号Ｆとして記録されるテレビジョン番組の題名情報における題名片情報の少なくとも１つの項目を決定するキーワード検出手段５４を有している。この目的のため、キーワード検出手段５４は記録手段１３により記録されるテレビジョン番組の題名を受信するように構成されており、該題名はテレビジョン番組情報決定手段３４により決定されていると共に前記テレビジョン番組情報に題名情報として含まれている。題名情報は、ワード又はワードの部分により形成されると共にキーワード検出手段５４によりキーワードとして決定することができるような題名片情報に分解される。このことは、後に記載する一例を参照して更に詳細に説明する。
【００６４】
テレビジョン信号処理装置１２は、更に、キーワード検出手段５４によりキーワード情報ＳＷＩとして決定された少なくとも１つのキーワードを記憶するためのキーワードメモリ５５を有している。これにより、全ての自動的に決定されたキーワードが記憶され、かくしてユーザにより記録されたテレビジョン番組に関するユーザの興味の概要及びどの様な将来のテレビジョン番組に該ユーザが興味を持ちそうであるかを非常に正確に表すキーワードのデータベースが得られるという利点が得られる。これについては、後に記載する一例を参照して更に詳細に説明する。
【００６５】
キーワードメモリ５５にはキーワードの発生のカウントを記憶することができ、該カウントは該キーワードがキーワード検出手段５４により見付けられる後の各時点においてインクリメントされると共に記憶することができる。この場合、キーワード及び関連する反復カウントはキーワードメモリ５５に図３に示すようなキーワードテーブルとして記憶することができる。その反復カウントが最少しきい値より小さな値を有するようなキーワードは、キーワード検出手段５４によりキーワードメモリ５５から定期的に消去することができる。キーワード検出手段５４は、題名片情報を、最小数のキャラクタを有する場合は、キーワードとしてのみ規定するように構成されている。このことは、後に一例を参照して、より詳細に説明する。
【００６６】
テレビジョン信号処理装置１２は、更に、キーワード検出手段５４によりキーワードとして除外されるべき少なくとも題名片情報を記憶するように構成された除外メモリ５７を有している。ビデオレコーダ１の製造の間に、例えば“もし”又は“多分”又は“対”のようなテキスト情報は除外メモリ５７に記憶される。何故なら、これらワードはユーザの興味分野を特徴付けないからである。
【００６７】
テレビジョン信号処理装置１２は、更に、テレビジョン番組情報ＦＰＩに含まれる題名が少なくとも１つの所与のキーワードを含み、且つ、現在受信されている受信チャンネルＥとは別のものを介してテレビジョン信号Ｆとして現在若しくは直ぐに受信可能であるか又は受信可能となるであろう少なくとも１つのテレビジョン番組を選択するための選択手段５８を有している。この目的のため、選択手段５８はキーワードメモリ５５に記憶されたキーワード情報をテレビジョン番組メモリ３９に記憶されたテレビジョン番組題名情報と比較するように構成されている。この比較に応答して、選択手段５８は受信推奨又は記録推奨のリストを発生するようになっており、該リストは、受信手段１４により現在受信されている他の受信チャンネルＥのテレビジョン信号Ｆとして現在若しくは直ぐに受信することができ又は受信することができるであろうテレビジョン番組のテレビジョン番組情報ＦＰＩを含む。選択手段５８は、その反復カウントが、キーワードメモリ５５に記憶された反復カウントの少なくとも１つの他の値に依存する選択しきい値よりも大きな値を有するようなキーワードのみをプリセットすることができる。このことは、後に例を参照して更に詳細に説明する。
【００６８】
テレビジョン信号処理装置１２は、更に、ＯＳＤ挿入手段５９を含んでいる。ＯＳＤ挿入手段５９は、チューナ１５のチューナ出力端１９に得られるテレビジョン信号Ｆを入力するように構成されている。ＯＳＤ挿入手段５９は、磁気テープ２５から記録及び再生ライン２４を介して再生されたテレビジョン信号ＦＷを入力するようにも構成されている。ＯＳＤ挿入手段５９は、更に、テキスト情報を、選択手段５８により発生された記録推奨のリストから選択手段５８により決定されたテレビジョン番組情報ＦＰＩの形態で入力するようにも構成されている。選択手段５８からＯＳＤ挿入手段５９に供給されるテキスト情報が発生すると、該ＯＳＤ挿入手段は、該テキスト情報を含む表示信号Ａを発生すると共に該表示信号を出力端子２に供給するようになっている。このように、選択手段５８及びＯＳＤ挿入手段５９は、そのテレビジョン信号が現在受信手段１４により受信されているテレビジョン番組の検出されたテレビジョン番組情報ＦＰＩを含むような表示信号Ａを自動的に発生することが可能な表示信号発生手段６０を形成する。更に、表示信号発生手段６０は、選択手段５８により選択された少なくとも１つのテレビジョン番組のテレビジョン番組情報ＦＰＩを含む表示信号Ａを自動的に発生するようにも構成されている。
【００６９】
推奨プログラミングキー２９を操作することにより、推奨起動情報ＶＡＩを記録プログラミング段２８と選択手段５８とに供給することができる。推奨起動情報ＶＡＩが発生すると、このように手動により起動された表示信号発生手段６０は、選択されたテレビジョン番組のテレビジョン番組情報ＦＰＩを表す表示信号Ａを発生するようになっている。表示信号発生手段６０により発生される表示信号Ａはテレビジョン装置３により形成される表示手段に供給され、これにより選択されたテレビジョン番組を含む記録推奨のリストＡＶＬを表示することができる。ここで、記録プログラミング手段は、推奨プログラミングキー２９として表されたキーにより、マーキングキー３０により、記録プログラミング段２８により及び表示信号発生手段６０により形成される。該記録プログラミング手段の助けにより、選択され且つ表示されたテレビジョン番組のうちの１つのテレビジョン番組情報ＦＰＩがユーザにより手動でマーク付けすることができ、これによりビデオレコーダ１を斯様にマーク付けされた選択されたテレビジョン番組を記録するようにプログラムすることができる。
【００７０】
情報検出段３３により検出されたテレテキスト情報ＴＩは、ＯＳＤ挿入手段５９に供給することができる。ＯＳＤ挿入手段５９に供給されるテレテキスト情報ＴＩが現れると、該手段はテレテキスト情報ＴＩを含む表示信号Ａを発生すると共に、該表示信号Ａを、テレテキスト情報ＴＩを図１には図示しない態様で起動することができるテレテキスト表示モードで表示することができるテレビジョン装置３に供給するようになっている。ビデオレコーダ１により、ユーザはテレテキスト情報ＴＩの表示された項目の少なくとも題名片情報を手動でマーク付けすることができ、これにより該情報をキーワードとして定義すると共に該キーワードをキーワードメモリ５５に記憶する。
【００７１】
ビデオレコーダ１、従って記録手段１３は、選択手段５８により選択されたテレビジョン番組を自動的に記録するように構成されている。この目的のために、選択手段５８は記録プログラミング情報ＡＰＩを記録プログラミング段２８に供給することができる。記録プログラミング情報ＡＰＩは、選択手段５８により選択されたテレビジョン番組の記録をプログラムするのに要する全てのテレビジョン番組情報ＦＰＩを含んでいる。
【００７２】
以下、ビデオレコーダ１の利点を一例を用いて説明する。ここで、ビデオレコーダ１の受信手段１４は、受信チャンネルＥ＝１においてテレビジョン局ＯＲＦ１からのテレビジョン信号Ｆを、受信チャンネルＥ＝２においてテレビジョン局ＶＯＸからのテレビジョン信号Ｆを、受信チャンネルＥ＝３においてテレビジョン局ＮＥＤ１からのテレビジョン信号Ｆを、受信チャンネルＥ＝４においてテレビジョン局ＲＴＬからのテレビジョン信号Ｆを、及び受信チャンネルＥ＝５においてテレビジョン局Ｃ＋からのテレビジョン信号Ｆを受信することができるものと仮定する。また、情報信号Ｉはテレビジョン局ＯＲＦ１、ＮＥＤ１及びＲＴＬからのテレビジョン信号のブランキング期間において送信され、テレビジョン局ＯＲＦ１からの情報信号Ｉは優先テレテキスト頁番号ＴＳＮ＝１Ｆ０（１６進）において該情報信号Ｉに関する追加情報ＺＵを伝送し、並びにテレビジョン局ＮＥＤ１は所謂“パケット２６”を及びテレビジョン局ＯＲＦ１はＶＰＴ情報を情報信号内のテレビジョン番組情報ＦＰＩを識別するために送信することに注意されたい。テレビジョン局ＲＴＬも、その情報信号Ｉでテレビジョン番組情報ＦＰＩを送信するが、この情報はＶＰＴ情報、“パケット２６”内の情報又は他の隠された情報によっては識別されない。
【００７３】
更に、ビデオレコーダ１に設定された時間（例えば午前９：００）に到達し、該時点においてテレビジョン番組情報決定手段３４は図２に示したフローチャートに従って処理を開始し、これにより情報信号Ｉに含まれるテレビジョン番組情報ＦＰＩを決定すると仮定する。既に前述したように、テレビジョン番組情報決定アルゴリズムはブロック４０において開始する。ブロック４１においては、ビデオレコーダ１が待機モードに設定されていることが分かり、かくしてフローチャート３５による処理はブロック４３に進む。
【００７４】
ブロック４３においては、テレビジョン番組情報決定手段３４はチューナ電圧ＴＵをチューナ入力端１８供給して、受信チャンネルＥ＝１を介して受信可能なテレビジョン局ＯＲＦ１からのテレビジョン信号Ｆがチューナ出力端１９で受信されるようにする。
【００７５】
ブロック４４では、前述したように、テレビジョン局ＯＲＦ１からのテレビジョン信号Ｆのブランキング期間において情報信号Ｉが送信されていることが検出され、その結果、フローチャート３５による処理はブロック４７に進む。この場合、該テレビジョン信号Ｆを識別するテレビジョン信号識別情報ＦＫＩを含むＶＰＳ情報も、テレビジョン番組情報決定手段３４に供給される。
【００７６】
ブロック４７においては、デコーダ段３２により決定されたテレビジョン信号識別情報ＦＫＩと追加情報メモリ３８に記憶されたテレビジョン信号識別情報ＦＫＩとの比較と、選択された受信チャンネルＥの番号により形成される受信チャンネル識別情報ＥＫＩ＝１と追加情報メモリ３８に記憶された受信チャンネル識別情報ＥＫＩとの比較とにより、テレビジョン局ＯＲＦ１からのテレビジョン信号Ｆに関して優先テレテキスト頁番号ＶＴＳＮが記憶されているかがチェックされる。この場合、テレビジョン番組情報決定手段３４は、ビデオレコーダ１の製造の間にテレビジョン局ＯＲＦ１のテレビジョン信号識別情報ＦＫＩと相関させて追加情報メモリ３８に記憶された優先テレテキスト頁番号ＶＴＳＮ＝１Ｆ０（１６進）を検出する。次いで、テレビジョン番組情報決定手段３４は、該優先テレテキスト頁番号ＶＴＳＮ＝１Ｆ０（１６進）を含む頁要求情報ＳＡを情報検出段３３に供給するようになる。情報検出段３３により検出されるテレテキスト情報ＴＩから、テレビジョン番組情報決定手段３４は情報信号Ｉがテレテキスト頁番号ＴＳＮ＝３１１により識別されるテレテキスト情報ＴＩにテレビジョン番組情報ＦＰＩを含むことを知り、該テレテキスト頁番号ＴＳＮは受信チャンネル識別情報ＥＫ＝１と相関されて追加情報メモリ３８に追加情報ＺＵとして記憶される。これらのテレテキスト頁番号ＴＳＮにより識別されるテレテキスト情報ＴＩから、テレビジョン局ＯＲＦ１により送信されるテレビジョン番組に関するテレビジョン番組情報ＦＰＩを、フローチャート３５による後続の処理の間に導出することができる。これにより、テレビジョン番組情報の決定を特別に高速且つ信頼性をもって実行することができるという利点が得られる。何故なら、テレビジョン番組情報ＦＰＩは、テレビジョン局ＯＲＦ１により優先テレテキスト頁に定義されたテレテキスト頁から直接導出されるからである。
【００７７】
情報検出段３３により検出され且つ優先テレテキスト頁番号ＶＴＳＮにより識別されるテレテキスト情報ＴＩからは、更に、例えばテレテキスト頁番号ＴＳＮ＝３１５が２つのテレテキスト副頁番号ＴＳＮ＝３１５／１及びＴＳＮ＝３１５／２を有することが分かる。テレビジョン番組情報決定手段３４は、この情報も、追加情報メモリ３８に受信チャンネル識別情報ＥＫＩ＝１と相関させて追加情報ＺＵとして記憶する。これは、テレビジョン番組情報ＦＰＩを決定する場合に、テレビジョン番組情報ＦＰＩをテレテキスト副頁に関するテレテキスト情報ＴＩから特別に高速に且つ信頼性をもって決定することができるという利点を有している。何故なら、優先テレテキスト頁番号ＶＴＳＮにより識別されるテレテキスト情報ＴＩから、どのテレテキスト頁番号に関してテレテキスト情報ＴＩがテレテキスト副頁について利用可能であるかが明らかとなるからである。一方においては、この結果として、テレテキスト頁が如何なるテレテキスト副頁も有さないことを知るために１以上の受信サイクルを待つ必要がなく、他方においては、テレテキスト副頁からのテレテキスト情報ＴＩがテレビジョン番組情報ＦＰＩの決定の際に見過ごされるのを防止する。
【００７８】
更に、送信情報が優先テレテキスト頁番号ＶＴＳＮにより識別されるテレテキスト情報ＴＩから導出され、該送信情報は、どのテレテキスト頁番号に関しテレテキスト情報ＴＩが情報信号Ｉで送信されるかを規定する。これらのテレテキスト頁番号ＴＳＮも、追加情報メモリ３８に、受信チャンネル識別情報ＥＫＩ＝１と相関されて追加情報ＺＵとして記憶される。この結果として、テレビジョン番組情報決定手段３４は、後では、情報信号Ｉで実際に送信されるテレテキスト頁番号ＴＳＮにより形成される頁要求情報ＳＡのみに情報検出段３３をプリセットする。このようにして、情報検出段３３が情報信号Ｉで実際に送信されないテレテキスト頁番号に設定された場合に発生するであろうような待ち時間を防止することができるという利点が得られ、斯かる事実はさもなければ情報信号Ｉの１以上の受信サイクルの後にのみ検出することができる。
【００７９】
最終的に、ブロック４７においては情報検出段３３はテレテキスト情報ＴＩを検出するために頁要求情報ＳＡにプリセットされ、該頁要求情報は、例えば、優先テレテキスト頁番号ＶＴＳＮのテレテキスト情報ＴＩから導出されるテレテキスト頁番号ＴＳＮ＝３１３を含む。
【００８０】
追加情報メモリ３８を設けたこと及び該追加情報メモリ３８における受信チャンネルＥにおいて受信可能なテレビジョン信号Ｆの情報信号Ｉについての追加情報ＺＵの記憶により、情報信号Ｉに関する追加情報ＺＵが一旦導出されると、該情報が、テレビジョン番組情報決定アルゴリズムの一層速い実行のために、これら情報信号Ｉからのテレビジョン番組情報ＦＰＩの後の各導出の間で使用されるという利点が得られる。
【００８１】
ブロック４８においては、テレテキスト頁番号ＴＳＮ＝３１３に対して決定されたテレテキスト情報ＴＩが、優先テレテキスト頁番号ＶＳＴＮにおいて定義されたように、実際にテレビジョン番組情報ＦＰＩを含んでいるかがチェックされる。前述したように、ブロック４８におけるチェックの第１ステップにおいては、検出されたテレテキスト情報ＴＩにＶＰＴ情報が含まれているかが確かめられるが、これはテレビジョン局ＯＲＦ１からの検出されたテレテキスト情報ＴＩの場合である。
【００８２】
例えば同日の午後にテレビジョン局ＯＲＦ１からのテレビジョン信号Ｆにおいて受信可能であろう例えば該テレビジョン局ＯＲＦ１の４つのテレビジョン番組に関し、斯様にして決定されるテレビジョン番組情報ＦＰＩはブロック５１においてテレビジョン番組メモリ３９に記憶される。これにより、テレビジョン番組情報決定アルゴリズムが完了すると、異なるテレビジョン局の多数のテレビジョン番組のテレビジョン番組情報ＦＰＩがテレビジョン番組メモリ３９に記憶され、後に、これらのテレビジョン番組の個々のものを選択手段５８により選択することができると共にテレビジョン装置３の表示スクリーン４上に表示することができるという利点が得られる。更に、テレビジョン番組メモリ３９の記憶容量は、特別に効率的に使用される。何故なら、テレビジョン番組情報ＦＰＩがテレテキスト情報ＴＩから導出され、該テレビジョン番組情報ＦＰＩのみがテレビジョン番組メモリ３９に記憶されるからである。
【００８３】
更に、ブロック５１においては、テレテキスト頁番号ＴＳＮ＝３１３が、データブロックアドレスメモリ３７に受信チャンネル情報ＥＫＩ＝１と相関されて記憶される。これは、それらの情報信号Ｉで優先テレテキスト頁を送信しない例えばテレビジョン局ＮＥＤ１又はＲＴＬからのもののような情報信号Ｉの場合に、ブロック４９におけるテレビジョン番組情報ＦＰＩの決定が、それらのテレテキスト情報ＴＩからテレビジョン番組情報ＦＰＩが最後に成功裏に決定されたようなテレテキスト頁番号ＴＳＮで開始されるという利点を有している。これは、テレビジョン番組情報ＦＰＩが送信されるテレテキスト情報ＴＩを識別する最初のテレテキスト頁番号ＴＳＮをその都度再び決定する必要がないという利点を有している。結果として、テレビジョン番組情報ＦＰＩは特別に高信頼度で且つ高速で決定することができる。
【００８４】
ブロック５０においては、テレビジョン番組情報ＦＰＩを含むテレテキスト情報ＴＩを検出するためにテレテキスト頁番号ＴＳＮが次のような態様で情報検出段３３にプリセットされる。即ち、最初のテレテキスト頁番号ＴＳＮ＝３１３がプリセットされた後、テレビジョン番組情報決定手段３４はテレテキスト情報ＴＩを決定するために、続いて、情報検出段３３を、番号が上記最初のテレテキスト頁番号ＴＳＮ＝３１３に対して交互に増加及び減少するようなテレテキスト頁番号ＴＳＮ＝３１４、ＴＳＮ＝３１２、ＴＳＮ＝３１５及びＴＳＮ＝３１１にプリセットする。これは、テレビジョン番組情報ＦＰＩが成功裏に導出されたテレテキスト情報ＴＩを識別するような最初のテレテキスト頁番号ＴＳＮから開始して、テレビジョン番組情報ＦＰＩを得るために、隣接するテレテキスト頁が系統だって走査されるという利点を有している。
【００８５】
尚、テレビジョン番組情報決定手段３４は、例えばＴＳＮ＝３１５、ＴＳＮ＝３１１、ＴＳＮ＝３１７及びＴＳＮ＝３０９のように、異なる態様で交互に増加及び減少するようなテレテキスト頁番号ＴＳＮにプリセットすることもできることに注意されたい。
【００８６】
ブロック４８、５１、５０及び５２は、多分テレビジョン番組情報ＦＰＩを含むようなテレテキスト情報ＴＩを識別する全てのテレテキスト頁からテレビジョン番組情報ＦＰＩが導出されたことがブロック５０において検出されるまで、実行される。これが検出された場合は、ブロック４５において、受信チャンネルＥ＝２でテレビジョン局ＶＯＸからのテレビジョン信号Ｆを受信するようにチューナが切り換えられる。ブロック４４においては、テレビジョン局ＶＯＸからのテレビジョン信号Ｆでは情報信号Ｉが送信されていないことが分かり、この理由により、フローチャート３５による処理はブロック４５において継続される。
【００８７】
ブロック４５では、チューナは、受信チャンネルＥ＝３でテレビジョン局ＮＥＤ１からのテレビジョン信号Ｆを受信するように切り換えられる。テレビジョン局ＮＥＤ１により供給される情報信号Ｉからは、前述したようにテレビジョン番組情報ＦＰＩが導出され、ブロック４７においては、該情報信号Ｉにおいては優先テレテキスト頁が送信されていないことが分かる。ブロック４９においては、データブロックアドレスメモリ３７に受信チャンネル識別情報ＥＫＩ＝３と相関されて記憶され、そのテレテキスト情報ＴＩから当該フローチャート３５による先行する処理の間にテレビジョン番組情報ＦＰＩを成功裏に導出することができたようなテレテキスト頁番号ＴＳＮ＝２０１が決定される。これにより、テレビジョン番組情報ＦＰＩをテレビジョン局ＮＥＤ１からの情報信号Ｉから特別に高速で導出することができるという利点が得られる。
【００８８】
ブロック４９に続くブロック４８においては、該ブロック４８における前記チェックの第１ステップにおいて、情報検出段３３により検出されたテレテキスト情報ＴＩがＶＰＴ情報を含まないことが分かる。
【００８９】
ブロック４８の該チェックにおける第２ステップにおいては、検出されたテレテキスト情報ＴＩのテレビジョン番組情報ＦＰＩが所謂“パケット２６”に含まれる情報により識別されることが分かる。ブロック５１、５０、５２及び４８の後の反復実行の間に、全てのテレビジョン番組情報ＦＰＩがテレビジョン番組メモリ３９に記憶される。“パケット２６”に関連する全てのテレテキスト頁からテレビジョン番組情報ＦＰＩが導出された後、フローチャート３５による処理はブロック４５において継続される。
【００９０】
ブロック４５においては、テレビジョン番組情報決定手段３４は、チューナ１５を受信チャンネルＥ＝４を介してテレビジョン局ＲＴＬからテレビジョン信号Ｆを受信するように設定する。更なるブロック４６、４４、４７及び４９は、前述したように実行される。ブロック４８における前記チェックの第１ステップにおいては、情報検出段３３により検出されたテレテキスト情報ＴＩがＶＰＴ情報を含まないことが分かり、該チェックの第２ステップにおいては、該テレテキスト情報ＴＩが“パケット２６”情報を含まないことが分かる。ブロック４８における上記チェックの第３ステップにおいては、前述したように、テレビジョン番組情報ＦＰＩを、テレテキスト情報ＴＩから時間情報を導出することにより得ることができることが分かる。続いてブロック４８、５１、５０及び５２において決定されるテレビジョン番組情報ＦＰＩは、テレビジョン番組メモリ３９に記憶される。
【００９１】
テレビジョン番組情報ＦＰＩが送信されるテレテキスト頁についての追加情報ＺＵをテレビジョン局ＲＴＬからの情報信号Ｉに関して見付けることができず、且つ、如何なる斯様な追加情報ＺＵも追加情報メモリ３８に記憶されていないので、ブロック４８、５１、５０及び５２は、ブロック５０において情報信号Ｉで送信される全てのテレテキスト頁番号ＴＳＮが一度情報検出段に供給されたことが分かるまで繰り返される。続いて、ブロック４５において、テレビジョン局Ｃ＋からのテレビジョン信号Ｆが受信される受信チャンネルＥ＝５が選択される。ブロック４４においては、該テレビジョン局Ｃ＋からのテレビジョン信号Ｆにおいては情報信号Ｉが送信されていないことが分かり、その理由により、ブロック４５において受信チャンネルＥ＝６が選択される。ブロック４６においては、該受信チャンネルＥ＝６においてはテレビジョン信号Ｆが受信されないことが分かり、結果として、フローチャート３５による該テレビジョン番組情報決定アルゴリズムはブロック４２において終了される。
【００９２】
ビデオレコーダ１の利点を説明する該例においては、更に、テレビジョン局ＶＯＸ及びＣ＋のテレビジョン番組に関するテレビジョン番組情報ＦＰＩが、インターネットサーバを形成するコンピュータ９に記憶されると仮定されている。テレテキスト情報ＴＩからテレビジョン番組情報ＦＰＩを決定するフローチャート３５による処理の完了後、テレビジョン番組情報決定手段３４は、インターネットに接続されたコンピュータからテレビジョン番組情報ＦＰＩを得るようになっている。この目的のため、テレビジョン番組情報決定手段３４は、当該ビデオレコーダ１の製造の間に追加情報メモリ３８に記憶されたインターネットアドレスを読み出し、斯様にして読み出されたインターネットアドレスをインターフェース手段１６に伝送するように構成されている。既に前述したように、この場合、インターフェース手段１６は、供給されるインターネットアドレスにより識別されるコンピュータ９へ呼出情報ＡＢを伝送するように構成されている。呼出情報ＡＢの発生に応じてコンピュータ９により供給される情報信号Ｉは、当該ビデオレコーダ１の情報信号端子１１及びインターフェース手段１６を介してテレビジョン番組情報決定手段３４に供給される。該情報信号Ｉに含まれるテレビジョン局ＶＯＸ及びＣ＋のテレビジョン番組情報ＦＰＩはテレビジョン番組情報決定手段３４により決定され、テレビジョン番組メモリ３９に記憶される。これは、テレビジョン番組情報ＦＰＩを含む情報信号Ｉをインターネットのようなコンピュータデータネットワークから又は、例えば、ＴＶケーブルシステムからも受信することができ、斯様にして受信された情報信号Ｉからテレビジョン番組情報ＦＰＩを導出することができるという利点を有している。
【００９３】
ビデオレコーダ１の利点を説明するために記載された上記例においては、図３に示すキーワードテーブル５６がキーワードメモリ５５に記憶されていると仮定する。キーワードメモリ５５は、例えば“子供”、“サッカー”又は“ダイアナ”のような題名片情報を形成するキーワードを記憶する。ユーザがテレビジョン番組を記録する毎に、該テレビジョン番組の題名からキーワードが導出され、これが以下に詳述するように題名情報を形成する。テレビジョン番組を記録することにより、ビデオレコーダ１のユーザは、このテレビジョン番組に興味があることを示しているので、これらのテレビジョン番組の題名から導出されるキーワードは、該ユーザの興味分野の特徴である。キーワードテーブル４６におけるキーワードに関連付けられた反復カウントは、所与のキーワードが既に何回検出されたかを示している。このキーワードテーブル５６から明らかなように、“サッカー”、“マグナム”、“ダイアナ”及び“ニュース”なるキーワードは、当該ユーザにより記録されたテレビジョン番組の題名で非常に頻繁に検出されている。これは、“サッカー”、“マグナム”なるテレビ続き物、“ダイアナ”に関する報道及び“ニュース”に関する該ユーザの興味を示している。
【００９４】
選択手段５８は、将来受信することができ且つユーザに興味のあるテレビジョン番組を自動的に決定するように構成されている。この目的のため、選択手段５８は、キーワードメモリ５５に記憶された例えば“マグナム”なるキーワードのようなキーワードを読み出すと共に、テレビジョン番組メモリ３９に記憶され且つ該キーワード“マグナム”を含むような題名のテレビジョン番組に関係するようなテレビジョン番組情報ＦＰＩを決定するように構成されている。次いで、例えば、該続き物“マグナム”の他の編が、どのテレビジョン局により何時受信可能であるかが決定される。このようにして決定された該続き物“マグナム”の後続編のテレビジョン番組情報ＦＰＩは、テレビジョン装置３の表示スクリーン４上にオンスクリーン表示５として表示することができる。これにより、当該ビデオレコーダ１のユーザの注意が、該ユーザにとり多分興味のあるテレビジョン番組に向けられ、かくして、該ユーザは、これら番組を逃すことはないであろう。
【００９５】
選択手段５８は、キーワードメモリ５５に記憶された反復カウントの最も大きな３つの値の和を形成すると共に（図３に示すキーワードテーブルによれば、これらは値１２＋７＋７＝２６である）、この和を数１０により除算することにより（２６／１０＝２.６）選択しきい値を決定するように構成されている。該選択手段は、それ以降、ユーザが興味を持つであろうテレビジョン番組を決定するために、上記のように決定された２.６なる選択しきい値を越える値を持つような反復カウントのキーワードのみを使用するようになされる。この結果として、選択手段５８は、それらの題名が既に比較的頻繁に検出されたキーワードを含み、従って当該ユーザにとり特に興味のあるテレビジョン番組のみを選択するようになるという利点が得られる。このようにして、ユーザの興味分野の変化は自動的に見込まれる。何故なら、例えば“マグナム”のようなキーワードの反復カウントは、該続き物“マグナム”の続編が最早記録されなくなると、インクリメントされないからである。
【００９６】
尚、選択しきい値を決定する他の方法も可能であることに注意されたい。
【００９７】
ユーザにとり興味があり且つ選択手段５８により選択されたテレビジョン番組のテレビジョン番組情報ＦＰＩは、ビデオレコーダ１の第１及び第２の使用状況では自動的に且つ所与の時間にわたりオンスクリーン表示５上に表示することができ、第３の使用状況ではユーザによる推奨プログラミングキー２９の操作によりオンスクリーン表示５上に記録推奨のリストとして表示することができる。第１の使用状況を説明するために、ユーザは受信チャンネル選択キー３１を操作することによりチューナ１５を、受信チャンネルＥ＝４を介してテレビジョン局ＲＴＬからのテレビジョン信号Ｆを受信するように設定していると仮定する。前述したように、選択手段は、テレビ続き物“マグナム”の続編がテレビジョン局ＯＲＦ１により例えば開始時間としての１８：００時に送信され、結果として、受信チャンネルＥ＝１を介して受信することができることを検出している。選択手段５８は、該手段に供給される時間情報ＺＩを該選択手段５８により選択されたテレビジョン番組の開始時間と比較するように構成されている。例えば、１７：５９時に上記の選択されたテレビジョン番組“マグナム”が受信チャンネルＥ＝１を介してテレビジョン局ＯＲＦ１からのテレビジョン信号Ｆとして受信可能であり、且つ、チューナが受信チャンネルＥ＝４を介してテレビジョン局ＲＴＬからのテレビジョン信号Ｆを受信するように設定されていたとすると、表示信号発生手段６０は、この選択されたテレビジョン番組“マグナム”のテレビジョン番組情報ＦＰＩを含む表示信号を自動的に発生するようになっている。このように、例えば１７：５９時において例えば５秒にわたりテレビジョン装置３の表示スクリーン４上にオンスクリーン表示５が表示され、これにより受信チャンネルＥ＝１を介してのテレビジョン局ＯＲＦ１のテレビジョン続き物“マグナム”の他の編の開始が示される。かくして、有利にも、当該ビデオレコーダ１のユーザの注意は、或るテレビジョン局のテレビジョン番組を見ながら、該ユーザにとり多分興味のある他のテレビジョン局からのテレビジョン番組の開始に、このテレビジョン番組の開始の僅か前にオンスクリーン表示５により惹かれることになる。この結果として、ユーザは、自動的に且つ適当な時間に、該ユーザにとり興味のあるテレビジョン番組の開始を思い出される。
【００９８】
第２の使用状況においては、表示信号発生手段６０は、テレビジョン装置３の表示スクリーン４上にオンスクリーン表示５を可能にするように表示信号Ａを発生するようになっており、該オンスクリーン表示は当該ビデオレコーダ１の開始直後、例えば２０秒の間にわたり、ユーザに該ユーザにとり興味があり且つその時点で受信することができるか又は直ぐに受信することができるようなテレビジョン番組を通知する。これは、ビデオレコーダ１がオンされた直後に、ユーザの注意が該ユーザにとり興味のあるテレビジョン番組に向けられるという利点を有している。
【００９９】
次ぎに、テレビジョン装置３の表示スクリーン４上に選択手段５８により選択されたテレビジョン番組Ｆを表示することができるような第３の使用状況を説明する。推奨プログラミングキー２９の操作により、選択手段５８により選択されたテレビジョン番組情報ＦＰＩを記録推奨のリストの形で示すオンスクリーン表示５がテレビジョン装置３の表示スクリーン４上に得られる。テレビジョン番組情報決定手段３４により決定され且つテレビジョン番組メモリ３９に記憶されたテレビジョン番組情報ＦＰＩに応じて、上記記録推奨のリストは、例えば次の週の間にテレビジョン局ＯＲＦ１、ＮＥＤ１、ＲＴＬ、ＶＯＸ及びＣ＋から受信することが可能なテレビジョン番組のテレビジョン番組情報ＦＰＩを含む。マーキングキー３０の操作により、該オンスクリーン表示５内に示されるカーソルの位置を変化させることができ、かくして、選択され且つ表示されたテレビジョン番組のうちの１つをユーザによりマークすることができる。選択され且つ表示されたテレビジョン番組のうちの１つがユーザによりマークされると、このテレビジョン番組のテレビジョン番組情報ＦＰＩが選択手段５８から記録プログラミング段２８に伝送され、次いで、ビデオレコーダ１は該テレビジョン番組を記録するようにプログラムされる。これにより、選択されたテレビジョン番組を記録するようにビデオレコーダ１をプログラムする特別に簡単な方法が得られるという利点が得られる。
【０１００】
ビデオレコーダ１の利点を説明するために、該ビデオレコーダ１により記録されたテレビジョン番組の題名情報からキーワードを自動的に決定する一例を以下に述べる。ここで、ビデオレコーダ１のユーザが、“サッカー世界選手権：オーストリア対ドイツ”なる題名のテレビジョン番組を記録するためにビデオレコーダ１を起動したと仮定する。この記録のために、ビデオレコーダ１は、例えばショービュープログラミングにより、ＶＰＴプログラミングにより又は記録キー２３の操作により直接的に等の任意のプログラミング法により起動されたものとすることができる。前述したように、記録されるテレビジョン番組の題名は、記録モード情報ＡＢＩの発生に際してテレビジョン番組情報決定手段３４において決定され、キーワード検出手段５４に伝送される。該キーワード検出手段５４により、題名情報を形成する上記題名“サッカー世界選手権：オーストリア対ドイツ”は、題名片情報“サッカー”、“世界”、“選手権”、“オーストリア”、“対”及び“ドイツ”に分解される。次いで、キーワード検出手段５４は、上記題名片情報項目の１つが除外メモリ５７に記憶されているかを判定する。この場合、キーワード検出手段５４は、題名片情報“対”が除外メモリ５７に記憶されていることを検出する。何故なら、この題名片情報はユーザの興味を満足に特徴付けるには適していないからである。この結果、この題名片情報“対”は、キーワード検出手段５４によってはキーワードとして解釈されない。
【０１０１】
続いて、キーワード検出手段５４は、各題名片情報項目が少なくとも４つの最小数のキャラクタを有しているかをチェックする。これは、例えば“the”、“as”又は“in”等の題名片情報項目がキーワード検出手段５４によりキーワードとして解釈されないという利点を有している。何故なら、これらもユーザの興味を充分に特徴付けないからである。
【０１０２】
このようにしてキーワード検出手段５４により決定されたキーワードは、キーワードメモリ５５に記憶される。キーワード検出手段５４は、例えば“サッカー”等の検出されたキーワードが既に検出されており、結果として既にキーワードメモリ５５に記憶されているかを判定する。図３に示すキーワードテーブル５６から明らかなように、キーワード“サッカー”は既に７回検出されており、その結果、該キーワード“サッカー”の反復カウントの値は値８にインクリメントされ、キーワードメモリ５５に記憶される。同様に、以前に検出されたキーワード“世界”、“選手権”及び“オーストリア”の反復カウントの値もインクリメントされ、記憶される。キーワード“ドイツ”は始めて見つかったので、このキーワードは反復カウントの値“１”と共にキーワードテーブル５６に入力され、次いでキーワードメモリ５５に記憶される。このようにして自動的に決定されるキーワードは、有利にも、ユーザの興味と非常に正確に一致する。ユーザの興味分野の変化は、これら反復カウントの値により検出することができ、前述したように、ユーザにとり興味のあるテレビジョン番組の前記選択手段５８による決定に際して考慮に入れることが可能である。
【０１０３】
キーワードメモリ５５に記憶された全てのキーワード及びそれらの反復カウントは、キーワード検出手段５４により、例えば月に一度、定期的にチェックされる。この場合、それらの反復カウントが最少しきい値より小さい値を持つキーワードは、キーワード検出手段５４によりキーワードメモリ５５から消去される。これにより、まれにしか検出されないキーワードはキーワードメモリ５５から定期的に除去され、かくしてキーワードメモリの記憶容量が有効に利用されるという利点が得られる。更に、あまり昔にではなく且つ充分に頻繁に検出されたキーワードのみが、ユーザにとり興味がありそうなテレビジョン番組の決定に使用されるようになる。
【０１０４】
ビデオレコーダ１は、更に、選択手段５８によるテレビジョン番組の自律的及び自動的選択のために使用されるべきキーワードをユーザ自身が手動で選択するのを可能にする。この目的のために、前述したように、情報検出手段３３により決定されたテレテキスト情報ＴＩは、ビデオレコーダ１のテレテキスト表示モードにおいてテレビジョン装置３の表示スクリーン４上に表示することができる。マーキングキー３０の操作により、表示スクリーン４上に示されるカーソルの位置は変化させることができ、表示されたテレテキスト情報の題名片情報は手動でマークすることができると共に、次いで、図１には図示せぬ態様においてキーワード検出手段５４によりキーワードメモリ５５に記憶される。キーワードを手動で選択する該方法は特別に簡単であり、ユーザが、個人的に選択されたキーワードをキーワードメモリ５５に記憶して付加的に該ユーザの興味分野を規定するのを可能にする。
【０１０５】
テレビジョン装置に設けられるテレビジョン信号処理装置は、実際に受信されたテレビジョン番組の題名情報からキーワードを決定するように構成されるようなキーワード検出手段を含むことができることに注意されたい。これは、ユーザの興味分野が、該ユーザにより選択された実際に受信されたテレビジョン番組の題名情報から導出されるという利点を有している。
【０１０６】
該ビデオレコーダは、前記選択手段によりユーザにとり興味の可能性のあるものとして選択されたテレビジョン番組を、磁気テープカセット２６の磁気テープ２５上に自動的に記録するように構成することもできることに注意されたい。このようにして、ユーザは、日中に記録され且つ殆どが該ユーザにとり興味のあるようなテレビジョン番組の選択群から、例えば夜に選択をすることができるようになる。ユーザにとり興味のあるテレビジョン番組の斯様な自動的な記録は、例えばデジタル記録装置等の、テレビジョン番組を記録するための非常に大きなメモリ（例えば、磁気又は光ディスク）を有する記録装置に特に有利に使用することができる。
【０１０７】
尚、図１に示す実施例におけるテレビジョン装置３により形成される表示手段は、ビデオレコーダに設けられる表示器により形成することもできることに注意されたい。
【０１０８】
また、前記テレビジョン番組情報決定手段により決定されたテレビジョン番組情報の記憶のためにテレビジョン番組メモリを設ける必要はないことに注意されたい。しかしながら、ユーザにとり興味があり且つ各々が所与のキーワードを含む題名情報を有するようなテレビジョン番組を決定するためには、その都度、テレビジョン番組情報決定アルゴリズムを実行することが必要である。
【０１０９】
また、情報検出段は、前記情報信号の各受信サイクルに関し１つのテレテキスト頁番号ＴＳＮにより形成されるテレテキスト情報ＴＩを検出するようにのみ構成されているのではないことに注意されたい。該情報検出段が各受信サイクルにおいてテレテキスト情報ＴＩを検出するために少なくとも２つのテレテキスト頁番号ＴＳＮにプリセットすることができると有利であることが分かった。この点に関しては、テレビジョン番組情報決定アルゴリズムにおいて、テレビジョン番組情報決定手段が上記情報検出段を、優先テレテキスト頁から得られる、データブロックアドレスメモリに記憶されたテレテキスト頁番号及び受信された情報信号のテレテキスト頁番号にプリセットすることができると特に有利であることが分かった。これにより、テレビジョン番組情報ＦＰＩを２つのテレテキスト頁のテレテキスト情報ＴＩから並行して導出することができ、これによりテレビジョン番組情報を特別に高速に決定することが可能となる。
【０１１０】
本発明によるテレビジョン信号処理装置は、例えば、テレビジョン装置内に設けることもできることに注意されたい。このようなテレビジョン装置は、デジタルテレビジョン信号（ＤＶＢ、ＤＴＴＶ）を受信するように構成することもできる。
【０１１１】
キーワードの改善された定期的な消去を可能にするために、各キーワードに対して、該キーワードの最後の検出日付をキーワードテーブルに記憶することも可能であることに注意されたい。
【０１１２】
また、自動的に決定されたキーワードを用いることにより、ユーザにとり興味があると共に前記テレテキスト表示モードにおいて表示することが可能であるようなテレテキスト頁を選択することも可能であることに注意されたい。
【図面の簡単な説明】
【図１】図１は、記録装置を構成するビデオレコーダのブロック図であり、このビデオレコーダは、該ビデオレコーダのユーザの興味分野を示すキーワードとしての題名のキャラクタ列を決定するキーワード検出手段を有するテレビジョン信号処理装置を含んでいる。
【図２】図２は、当該テレビジョン信号処理装置のテレビジョン番組情報決定手段において処理されるテレビジョン番組情報決定アルゴリズムを説明することが可能なフローチャートである。
【図３】図３は当該ビデオレコーダのキーワードメモリに記憶することができるキーワードテーブルを示している。
【符号の説明】
１  ビデオレコーダ
３  テレビジョン装置
４  表示スクリーン
５  オンスクリーン表示
６  放送局
９  コンピュータ
１２  テレビジョン信号処理装置
１３  記録手段
１４  受信手段
１５  チューナ
３２  デコーダ段
３３  情報検出段
３４  テレビジョン番組情報決定手段
３６  スイッチング段
３７  データブロックアドレスメモリ
３８  追加情報メモリ
３９  テレビジョン番組メモリ
５４  キーワード検出手段
５５  キーワードメモリ
５８  選択手段
５９  ＯＳＤ挿入手段
【図１】
0004500443.tif 000002
【図２】
0004500443.tif 000003
【図３】
0004500443.tif 000004